【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
１組のピクセルを含む表示パネルであって、前記ピクセルは前記表示パネル上で空間的に分布され、各ピクセルは光出力を与えるためのものであり、前記１組のピクセルは複数の異なるピクセルサブセットを含み、各ピクセルサブセットは前記１組のピクセルの１つ又は複数のピクセルを含む、表示パネルと、
前記ピクセルサブセットの１つ又は複数のピクセルを画像化し、ディスプレイの前の第１の距離に位置する仮想平面上の複数のビュー領域上にピクセル画像を形成する画像化ユニットであって、前記異なるピクセルサブセットのそれぞれの少なくとも１つのピクセル画像が前記複数のビュー領域の同じものの上で重なり合う状態で、前記複数のビュー領域は互いに重なり合わず、前記仮想平面は眼の瞳孔の直径以下の直径を有する仮想円を含み、前記仮想円が前記複数のビュー領域の少なくとも２つの少なくとも一部を囲み、前記仮想円内に少なくとも部分的に囲まれる前記複数のビュー領域の前記少なくとも２つは、その中の前記ピクセル画像の少なくとも１つに関して互いに異なる、画像化ユニットと
を含む、表示装置。
【請求項２】
前記ピクセルサブセットの１つ又は複数のピクセルの第１のピクセルの前記光出力が、１／３０秒、１／４５秒、又は１／６０秒以下の再構成時間間隔内に、第１の光出力から前記第１の光出力と異なる第２の光出力に、及び／又はその逆に再構成可能であり、
前記画像化ユニットが、前記ピクセルサブセットの１つ又は複数のピクセルの第１のピクセルを第１の時間間隔内に前記ビュー領域の第１のものに画像化するように、及び前記第１のピクセルを前記第１の時間間隔とは異なる第２の時間間隔内に前記ビュー領域の第２のものに画像化するように再構成可能であり、前記第１の時間間隔及び前記第２の時間間隔は前記再構成時間間隔よりも短い、
請求項１に記載の表示装置。
【請求項３】
ピクセルサブセットが２つのピクセルを含み、それぞれのピクセルが前記複数のビュー領域の１つにしか画像化されない、請求項１に記載の表示装置。
【請求項４】
前記ピクセルサブセットの複数のピクセルがｓ列及びｔ行のピクセルアレイ状に配置され、ｓ及びｔは整数である、請求項３に記載の表示装置。
【請求項５】
前記複数のビュー領域が３つのビュー領域を含み、前記仮想円が前記３つのビュー領域の少なくとも一部を囲み、前記３つのビュー領域が、前記仮想平面上に二次元パターンを形成するように配置される、請求項１乃至４の何れか一項に記載の表示装置。
【請求項６】
前記複数のビュー領域の少なくとも２つが前記仮想円によって完全に囲まれる、請求項１乃至５の何れか一項に記載の表示装置。
【請求項７】
ピクセルサブセットごとのピクセル数が、前記複数のビュー領域内のビュー領域の数と同じである、請求項３に記載の表示装置。
【請求項８】
前記画像化ユニットが、
それぞれ１つだけのピクセルサブセットの前記ピクセルの１つ又は複数の少なくとも一部を画像化するための複数の画像化サブユニットであって、各画像化サブユニットはレンズ、ミラー、及び／又はプリズムの形をとる光学要素を含む、画像化サブユニット
を含む、請求項１乃至７の何れか一項に記載の表示装置。
【請求項９】
１つだけのピクセルサブセットの前記ピクセルの１つ又は複数の前記少なくとも一部を画像化するための複数の画像化サブユニットがある、請求項８に記載の表示装置。
【請求項１０】
前記画像化サブユニットが第１の光学要素及び第２の光学要素を含み、前記第１の光学要素が１つだけのピクセルサブセットの前記ピクセルの１つ又は複数の前記少なくとも一部の前記光出力を前記第２の光学要素に導くためのものであり、前記第２の光学要素が前記第１の光学要素から受け取られる前記光出力の少なくとも一部を前記仮想平面に導くためのものである、請求項８又は９に記載の表示装置。
【請求項１１】
前記光学要素がレンズであり、前記画像化サブユニットが画像化サブユニットのアレイ状に配置される、請求項８乃至１０の何れか一項に記載の表示装置。
【請求項１２】
所望のビームステアリング機能を実施するよう各画像化サブユニットが個々に制御され得る、請求項８乃至１１のいずれか一項に記載の表示装置。
【請求項１３】
各ピクセルが互いに異なる色を有する複数のサブピクセルを含み、前記サブピクセルが、少なくとも部分的に重なり合うように前記表示パネル上で互いの上にスタックされる、請求項１乃至１２の何れか一項に記載の表示装置。
【請求項１４】
各ピクセルが互いに異なる色を有する複数のサブピクセルを含み、前記サブピクセルが重なり合わないように前記表示パネル上で空間的に分散される、請求項１乃至１３の何れか一項に記載の表示装置。
【請求項１５】
ピクセル内のサブピクセル数が、１つだけのピクセルサブセットの前記ピクセルの１つ又は複数の前記少なくとも一部を画像化する画像化サブユニットの数に等しい、請求項１４に記載の表示装置。
【請求項１６】
各ピクセル又はサブピクセルが、照明部分の一次元又は二次元アレイとして構成される複数の照明部分を含む、請求項１乃至１５の何れか一項に記載の表示装置。
【請求項１７】
ピクセルサブセット間の距離が、ピクセルサブセットのピクセル又はサブピクセル間の距離よりも大きい、請求項１乃至１６の何れか一項に記載の表示装置。
【請求項１８】
前記画像化ユニットが、前記ピクセルサブセットの１つ又は複数のピクセルを画像化し、前記仮想平面上の更なる複数のビュー領域上に更なるピクセル画像を形成するためのものでもあり、前記異なるピクセルサブセットのそれぞれの少なくとも１つの更なるピクセル画像が前記更なる複数のビュー領域の同じものの上で重なり合う状態で、前記更なる複数のビュー領域は互いに重なり合わず、前記仮想平面は眼の前記瞳孔の前記直径を有する更なる仮想円を含み、前記仮想円の中心と前記更なる仮想円の中心との間の距離は、視聴者の左眼の前記瞳孔の中心と右眼の前記瞳孔の中心との間の前記距離に対応し、前記更なる仮想円が前記更なる複数のビュー領域の少なくとも２つの少なくとも一部を囲み、前記更なる仮想円内に少なくとも部分的に囲まれる前記更なる複数のビュー領域の前記少なくとも２つは、その中の前記更なるピクセル画像の少なくとも１つに関して互いに異なる、請求項１乃至１７の何れか一項に記載の表示装置。
【請求項１９】
前記１組のピクセルが更なる複数の異なるピクセルサブセットを含み、前記更なる複数のピクセルサブセットの各ピクセルサブセットは、前記１組のピクセルの１つ又は複数のピクセルを含み、
前記画像化ユニットが、前記更なる複数のピクセルサブセットのうちの或るピクセルサブセットの前記１つ又は複数のピクセルを画像化し、前記仮想平面上の更なる複数のビュー領域上に更なるピクセル画像を形成するためのものでもあり、前記異なるピクセルサブセットのそれぞれの少なくとも１つの更なるピクセル画像が前記更なる複数のビュー領域の同じものの上で重なり合う状態で、前記更なる複数のビュー領域は互いに重なり合わず、前記仮想平面は眼の前記瞳孔の前記直径を有する更なる仮想円を含み、前記仮想円の中心と前記更なる仮想円の中心との間の前記距離は、視聴者の左眼の前記瞳孔の中心と右眼の前記瞳孔の中心との間の前記距離に対応し、前記更なる仮想円が前記更なる複数のビュー領域の少なくとも２つの少なくとも一部を囲み、前記更なる仮想円内に少なくとも部分的に囲まれる前記更なる複数のビュー領域の前記少なくとも２つは、その中の前記更なるピクセル画像の少なくとも１つに関して互いに異なる、請求項１乃至１７の何れか一項に記載の表示装置。
【請求項２０】
前記第１の仮想円の中心と前記第２の仮想円の中心との間に、ビュー領域が存在しない前記仮想平面上の領域がある、請求項１８又は１９に記載の表示装置。
【請求項２１】
前記表示装置が立体表示装置であり、前記仮想円内に少なくとも部分的に囲まれる前記複数のビュー領域の少なくとも２つと、前記更なる仮想円内に少なくとも部分的に囲まれる前記更なる複数のビュー領域の前記少なくとも２つとが、前記ピクセル及びその中の更なるピクセル画像の少なくとも１つに関して互いに異なる、請求項１９又は２０に記載の表示装置。
【請求項２２】
前記複数のピクセルサブセットがｋ行及びｌ列有するピクセルサブセットのアレイ状に配置され、ｋ及びｌは整数である、請求項１乃至２１の何れか一項に記載の表示装置。
【請求項２３】
前記複数のピクセルサブセット及び前記更なる複数のピクセルサブセットがｋ行及びｌ列有するピクセルサブセットのアレイ状に配置され、ｋ及びｌは整数であり、前記アレイの全体を通し、前記複数のピクセルサブセットの前記ピクセルサブセットは奇数ｌの列内にあり、前記更なる複数のピクセルサブセットの前記ピクセルサブセットは偶数ｌの列内にある、請求項２２に記載の表示装置。
【請求項２４】
前記画像化ユニットが、
前記ピクセルサブセットのピクセルを前記仮想円及び／又は前記更なる仮想円内の前記複数のビュー領域の異なるものに時系列的に画像化するように再構成可能であり、且つ／又は
前記複数のピクセルサブセット及び前記更なる複数のピクセルサブセットの前記ピクセルを前記複数のビュー領域及び前記更なる複数のビュー領域に時系列的に画像化するように再構成可能である、
請求項１乃至２３の何れか一項に記載の表示装置。
【請求項２５】
眼の瞳孔の位置を求めるための追跡システムと、
眼の前記瞳孔の前記位置に依存して前記画像化ユニットを制御するための画像化ユニット制御システムと
を含み、これにより、視聴者の前記眼の１つ又は複数の瞳孔と一致するときに前記仮想円及び／又は前記更なる仮想円が、前記瞳孔の１つ又は複数が位置を変えるときにこれらの瞳孔とほぼ一致させ続けられる、請求項１乃至２４の何れか一項に記載の表示装置。
【請求項２６】
前記表示装置が、前記表示パネルに画像データを与えるためのディスプレイコントローラを更に含み、前記画像データは複数の副画像を符号化し、前記複数の副画像の第１のものは３Ｄシーンの第１の視点に対応し、前記複数の副画像の第２のものは、眼の前記瞳孔の幅の差をつけて前記第１の視点に関係する前記３Ｄシーンの第２の視点に対応し、各ピクセルサブセットには前記第１の副画像の一部及び前記第２の副画像の一部が与えられる、請求項１乃至２５の何れか一項に記載の表示装置。